(57)【要約】【課題】クラフト紙からなる多層紙袋は、その底部は内容物の取り出し口となるので通常は２回折り返して、開封用のテープを有する当て紙で封止している。しかしこれを所定の紙袋群を形成し、輸送用パレットに例えば２５段積み重ねると、６００Ｋｍ程度の走行距離でも、荷崩れが生じ、曲がり変形癖のついた紙袋も３％程度発生するので、その問題点を解消する必要がある。【解決手段】多層紙袋であって、該筒状体の下端の折り曲げ部を開封手段を備えた当て紙で包囲固定してなる底部閉鎖部において、最内部の筒状体を構成する層は折り曲げ部を有する非切断層とし、最外部の筒状体を構成する層は折り曲げ部の長さより短くなるように先端を切断除去された切断層とし、最内部の筒状体と最外部の筒状体の中間の筒状体を構成する層は、前記非切断層もしくは切断層のいずれかと同様に非切断層もしくは切断層を構成してなることを特徴とする多層紙袋。【選択図】      図３
2004217285.tif 000002
【特許請求の範囲】
【請求項１】
複数層のまち付筒状体からなる紙袋であって、該筒状体の下端の折り曲げ部を開封手段を備えた当て紙で包囲固定してなる底部閉鎖部において、最内部の筒状体を構成する層は折り曲げ部を有する非切断層とし、最外部の筒状体を構成する層は折り曲げ部の長さより短くなるように先端を切断除去された切断層とし、最内部の筒状体と最外部の筒状体の中間の筒状体を構成する層は、前記非切断層もしくは切断層のいずれかと同様に非切断層もしくは切断層を構成してなることを特徴とする多層紙袋。
【請求項２】
中間の筒状体を構成する層が１層以上ある紙袋であって、紙袋の表側に近い層と、裏側に近い層のいずれか一方の層を非切断層、他方の層を切断層としてなることを特徴とする請求項１に記載の多層紙袋。
【請求項３】
中間の筒状体を構成する層が２層以上ある紙袋であって、内部側を非切断層、外部側を切断層としたことを特徴とする請求項１に記載の多層紙袋。
【請求項４】
前記最内部の筒状体の内面にポリオレフィン樹脂層が設けられたことを特徴とする請求項１，２もしくは３のいずれかに記載の多層紙袋。
【請求項５】
当て紙の層厚を前記切断紙層の層厚より薄くなるようにしたことを特徴とする請求項１，２，３もしくは４のいずれかに記載の多層紙袋。
【発明の詳細な説明】
【０００１】
【発明の属する技術分野】
本発明は、主としてクラフト紙からなる多層紙袋の改良された底部閉鎖部の構造に関する。
【０００２】
【従来の技術】
主としてクラフト紙から構成された多層紙袋は、肥料、米穀、セメント、栽培用の土など、ある程度の防湿、防水効果があり、輸送及び保存に耐えるものとして多く用いられている。
かかる多層袋は通常複数のまち付筒状体からなる紙袋であり、その底部は、たこ糸等でミシン縫いするか、端部全体を一方向（胴貼り部を構成するいわゆる裏面側）に折り曲げて接着剤で接着したものが知られているが、近時は内容物を排出しやすくするために底部を折り曲げて、当て紙で封止して、この当て紙に付されている剥ぎ取り用のテープ又は糸を用いて開封するようにしたものが、開封作業の容易性から多く用いられている。特に底部の折り曲げは、内容物の気密を保持するために通常は２回折り曲げられて構成されている。
なお、特許文献等としては下記のものがある。
【０００３】
【特許文献】
特公昭６０−１２１９号公報
実開昭６２−１３００４１号公報
実開昭６２−１１５３４８号公報
特開平４−１４２２５７号公報
特開平７−２８５５５８号公報
特開２０００−１２１８４号公報
特開２００１−３９４５２号公報
【０００４】
上記特許文献等の記載内容について概略説明すれば、特公昭６０−１２１９号公報には、複数枚の原紙を円筒状にした縦方向において貼り合わせ、その底部は閉止されたものが記載されているが、閉止構造については何も説明されていない。実開昭６２−１３００４１号公報には、両側部にひだを有する多層筒状体のひだ部の接合構造に関し、両側面部にはひだを有する多層筒状体の底部は最外層を除いて他の内層は「の」の字状に丸めて、前記最外層で抑えて接着した構造が示されている。実開昭６２−１１５３４８号公報には、多層紙袋で、折り曲げられた底部を別の当て紙で覆ってその端部を接着したものが記載されている。特開平４−１４２２５７号公報には、袋底部を改良し、複数層の襞付の筒状体からなる端部を２度折り曲げ巻き込むようにして３重折り曲げ部を形成し、この折り曲げ部を包囲するように開封用のテープ付当て紙をもって閉塞した構造が示されている。特開平７−２８５５５８号公報には、被包装物の落ちこぼれを防止するため端部を表面側に１回折り曲げて当て紙で包囲した底部閉鎖部、表面側に２回折り曲げて当て紙で包囲した底部閉鎖部が示されている。特開２０００−１２１８４号公報には、紙の片面に樹脂層を積層した積層部と、樹脂層が積層されていない非積層部が混在するようにしたもので、透気性と、透湿性とを備えた紙袋が提案されているが、底部に特別な考案はされていない。特開２００１−３９４５２号公報には、第１筋、第２筋、斜め筋で第１折込み部Ｘ，第２折込み部Ｙ，斜め折込み部Ｚを折込み、吹き込み口側底貼り部を形成した多層紙袋で、内容物の粉もれ、粉ふきを防止したものが記載されている。
【０００５】
【発明が解決しようとする課題】
従来技術による多層紙袋について、更に図１、図６及び図７をもって詳述する。すなわち、図１は従来技術による多層紙袋を偏平にした状態を示す典型例である。
すなわち、その構成は、折られて形成された矩形状の多層紙袋１１の、裏面側に胴貼り部１３が設けられ、両側部には、まち１２が設けられている。底部閉鎖部１６の折り曲げ部１５には、開封手段が付与されたクラフト紙等からなる当て紙Ｓが貼着され内容物を密閉するようになっている。又、図示していないが紙袋の上部の内容物投入口は、内容物を充填後１回折り曲げてミシン目や紙テープ等で封止される。
図６は、従来技術による３層からなる多層紙袋の代表例で、内側からａ，ｂ，及びｃの３層から構成されている。
図６において、裏面側１４ｂ（図１における長さ方向に胴貼り部１３を有する面）では、内側よりａ１，ｂ１，ｃ１の３層構成で、表面側１４ａ（裏面側１４ｂとは反対の面）では内側よりａ２，ｂ２，ｃ２の３層構成で構成され、底部は２回折り曲げられて折り曲げ部１５はその外側には開封用テープもしくは開封用糸が付着されている当て紙Ｓが貼り付けられている。
図７は、図６で示した多層紙袋をより理解し易くするための図で表面側１４ａと裏面側１４ｂの３層を一体化してモデル化し折り曲げた状態を示すものである。
【０００６】
上記のような多層紙袋は、次のような荷姿で輸送され需要者に配送される。
すなわち、多層紙袋は、図８（イ）、（ロ）に示すようにパレットＰの上に多層紙袋群に別けて積み重ねられる。
この場合、（イ）に示すように１段目の４つの積み重ねられた多層紙袋群Ｄ１，Ｄ２，Ｄ３，Ｄ４  はその配置方向を縦、横、縦、横に相互に直角になるようにパレットＰの上に配置し、（ロ）に示すように２段目の４つの積み重ねられた多層紙袋群Ｕ１，Ｕ２，Ｕ３，Ｕ４  を前記１段目の多層紙袋群Ｄ１，Ｄ２，Ｄ３，Ｄ４  に対して位置をずらせて積み重ねる。以下図示していないが、３段目以降の多層紙袋群も同様に下段の紙袋群とは位置をずらせて２５段積み重ねられる。
なお、ここでいう多層紙袋群Ｄ１，Ｄ２，Ｄ３，Ｄ４及びＵ１，Ｕ２，Ｕ３，Ｕ４は、例えば図９に示すようにＤ１と、その上のＵ１に関する側面図のとおり積み重ねられるが、通常、底部封鎖部について同一方向に１５袋重ね、その上に逆方向に１０袋重ね、計２５袋をもって一つの多層紙袋群を形成するように積み重ねている。図では下部の多層紙袋群Ｄ１について上からみて左側が１５袋の底部閉鎖部Ｌ１を形成し、右側が１０袋の底部閉鎖部Ｌ２を形成している。その上には多層紙袋群Ｕ１が積み重ねられている。
図９は１段目の多層紙袋群中Ｄ１の構成と２段目の多層紙袋群Ｕ１の関係を示している側面図であるが、この場合、多層紙袋群Ｄ１に於いて、底部閉鎖部Ｌ１が左側に位置するよう１５袋重ねた側をＸ方向、底部閉鎖部Ｌ２が右側に位置するよう１０袋重ねた側をＹ方向として示している。
【０００７】
このようにして各段４つの多層紙袋群を２５段積み重ねて、縦横それぞれ２条のバンドで緊縛し、その上にベニヤ板をあてがい、錘を載せて多層紙袋群の紙袋内を脱気した後、錘を除去し、全体を例えばポリ塩化ビニリデンフィルム（ダウケミカル社商品名：サラン）を用いてパレットに包括被覆して、トラック輸送をしていた。この場合、１段について２５袋×４群としこれを２５回繰り返して重ねる理由は、多層紙袋群をパレットに配置する場合に、各段１００袋が２５段すなわち２５００袋荷造りされて輸送することになり、積む側にとっても、納入される側にとっても数値的にも管理しやすいので、この種の荷造りでは慣用の手段であり、稀に例外的に需要者の要請があれば、これに対処しているのが現実である。
【０００８】
ところで、上記従来技術による多層紙袋は、その底部閉鎖部が折り曲げ部によりその他の部分より厚さが大きく異なるものであった。例えば、図６の従来技術による多層紙袋で言うならば、使用材料として厚さが０．１２ｍｍのクラフト紙を用いた紙袋の場合、当て紙Ｓのない胴部では０．１２ｍｍ×６枚＝０．７２ｍｍであり、当て紙Ｓのある底部閉鎖部では、０．１２ｍｍ×２０枚＝２．４ｍｍ  になる。これを図８、図９の要領にて先ず底部閉鎖部Ｌ１を左側に向けて１５袋重ね、次に底部閉鎖部Ｌ２を逆方向に向けて１０袋重ねると、１５袋重ねた方向（図９のＸ方向）ではＤ１群の全体の厚みが（２．４ｍｍ  ×１５袋）  ＋（０．７２×１０袋）  ＝４３．２ｍｍとなる。
【０００９】
一方、底部閉鎖部Ｌ２を左側に向けた１０袋重ねた方向（図９のＹ方向）では、Ｄ１群の全体の厚みが（０．７２×１５袋）  ＋（２．４ｍｍ  ×１０袋）  ＝３４．８ｍｍとなる。
従って、図９のＤ１群の全体の厚みは、Ｘ方向とＹ方向とで、８．４ｍｍ  もの格差が生じる。このように、多層紙袋群Ｄ１，Ｄ２，Ｄ３，Ｄ４及びＵ１，Ｕ２，Ｕ３，Ｕ４等にそれぞれ８．４ｍｍ  もの格差があると、パレット上の荷姿で当初は完全に荷作りされていても長距離輸送で荷崩れが生じる。
【００１０】
例えば６００ｋｍの遠隔地に納入する場合、どうしても前後左右の振動や荷重を受けるために、荷崩れが生ずる問題があった。その対応として需要者の工場に搬入する直前には荷崩れを修正して納入しているのが実状であるが、道路の粗悪度や距離、カーブ等の実条件によっては積荷の２０％〜３０％に荷崩れを生じており、この荷崩れは上段の紙袋群の荷の重さの影響と振動特に横触れの影響で下段側の紙袋群に多く発生し、この荷崩れによって袋は曲がり癖を生じやすく、曲がり癖の発生率は凡そ３％程度であるが、内容物の充填作業に著しい悪影響があるので、不良品として廃棄処分を余儀なくされており、これら輸送に伴う諸問題は結局、生産者、需要者共にコスト高を来し、廃棄物処理等のコストもかかるという問題を有するものであった。
【００１１】
【課題を解決する手段】
本発明者はかかる実状に鑑み、紙袋群の積み重ね方を変更することなく、底部閉鎖部の構造を改良することで、前記問題点を解決し得ることを見出した。
すなわち、本発明者は、底部閉鎖部を従来よりも薄く構成することにより、底部閉鎖部と胴部の紙厚の差（まち１２、胴貼り部１３を除く）を減少させ、これにより上記の問題点を解決したものである。
【００１２】
本発明は多層紙袋の底部閉鎖部を構成する紙層を裁断により少なくした構造とし底部閉鎖部の薄層化を実現し、輸送中の振動で、荷崩れを防止し、廃棄紙袋の発生を無くすることを目的とするものである。
すなわち、請求項１の発明は、複数層のまち付筒状体からなる紙袋であって、該筒状体の下端の折り曲げ部を開封手段を備えた当て紙で包囲固定してなる底部閉鎖部において、最内部の筒状体を構成する層は折り曲げ部を有する非切断層とし、最外部の筒状体を構成する層は折り曲げ部の長さより短くなるように先端を切断除去された切断層とし、最内部の筒状体と最外部の筒状体の中間の筒状体を構成する層は、前記非切断層もしくは切断層のいずれかと同様に非切断層もしくは切断層を構成してなることを特徴とする多層紙袋であり、請求項２の発明は、中間の筒状体を構成する層が１層以上ある紙袋であって、紙袋の表側に近い層と、裏側に近い層のいずれか一方の層を非切断層、他方の層を切断層としてなることを特徴とする請求項１に記載の多層紙袋であり、請求項３の発明は、中間の筒状体を構成する層が２層以上ある紙袋であって、内部側を非切断層、外部側を切断層としたことを特徴とする請求項１に記載の多層紙袋であり、請求項４の発明は、前記最内部の筒状体の内面にポリオレフィン樹脂層が設けられたことを特徴とする請求項１，２もしくは３のいずれかに記載の多層紙袋であり、請求項５の発明は、当て紙の層厚を前記切断紙層の層厚より薄くなるようにしたことを特徴とする請求項１，２，３もしくは４のいずれかに記載の多層紙袋である。
【００１３】
【発明の実施の形態】
以下図面により本発明を詳述する。各図とも同一部分には同一符号を付して説明する。
図２はクラフト紙を３枚使用して多層の筒状体を形成した本発明の１実施例の多層紙袋の縦断面図で、図３は上記多層紙袋の底部閉鎖部の簡略説明図である。
（中間の筒状体を構成する層は１層であり、）（２層カット、２層折り曲げを示している）
図に於いて、多層に構成された筒状体ａ，ｂ，ｃは、裏面１４ｂ側では内側よりａ１，ｂ１，ｃ１の３層構成で、表面１４ａ側では内側よりａ２，ｂ２，ｃ２の３層構成で構成されている。この場合ａ１およびａ２の先端は、折り曲げ用として切断されることなく非切断層を形成し、一方、ｂ１，ｃ１及びｂ２，ｃ２は先端を折り曲げしないので、余分な長さを直線切りで切断除去され、切断層を形成している。従って、切断層の先端が非切断層の先端よりも紙袋の底部方向に向かって短く切断された構成になっている。ｈは折り曲げ部１５の高さであり、切断層の先端はｈの僅かに上部に位置するようにし、当て紙Ｓにより折り曲げ部および切断層の先端を一体にして接着して包囲固定されている。
すなわち、図２、図３の実施例にて本発明の底部閉鎖部を形成するには、最内層を構成しているａ１，ａ２のみが２回折り曲げられて折り曲げ部１５を形成し、該折り曲げ部と前記切断層の先端とを接着機能付き当て紙Ｓで包囲接着固定している。
当て紙Ｓの接着剤は当て紙Ｓの内面全面に付してもよいが、図示のように切断層の先端に接する部分だけに付してあってもよい。
又、非切断層の折り曲げは１回でもよいが、袋の密封性を確保するためには本発明の図３及び図４に示すように少なくとも２回折り曲げるのが好ましい。
【００１４】
この状態の厚さについて検討すると、図２、３は一実施例の３層紙袋の説明図で、使用材料として厚さを０．１２ｍｍのクラフト紙を用いた袋の場合、当て紙Ｓのない胴部では０．１２ｍｍ×６＝０．７２ｍｍであり、当て紙Ｓのある底部封止部では、０．１２ｍｍ×８＝０．９６ｍｍになる。これを先ず一方向に１５袋重ね、次に前記１５袋重ねの上に逆方向に１０袋重ねると、図９のＸ方向では（０．９６ｍｍ×１５袋）  ＋（０．７２ｍｍ  ×１０袋）  ＝２１．６ｍｍであるが、図９のＹ方向では、（０．７２ｍｍ  ×１５袋）  ＋（０．９６ｍｍ  ×１０袋）  ＝２０．４ｍｍであるから、図９でいうＤ１群の全体の厚みに於いて、Ｘ方向とＹ方向との格差は１．２ｍｍ  となる。
これを段落０００９で述べた従来技術によるＸ方向とＹ方向との格差、すなわち８．４ｍｍ  と比較すると著しく小さいことが判る。
このようにＤ１群に相当する多層紙袋群を２５段に積み重ねて荷造りし、６００ｋｍの距離をトラック輸送したが、荷崩れは生ずることはなかった。
【００１５】
図４は本発明の請求項２に係る他の実施例の簡略説明図で、多層に構成された筒状体ａ，ｂ，ｃ，ｄは、裏面１４ｂ側では内側よりａ１，ｂ１，ｃ１の３層構成で、表面１４ａ側では内側よりａ２，ｂ２，ｃ２で構成され３層構成である。この中でｂ１，ｃ１，ｃ  ２の３層は先端の余分な長さを直線切りで切断除去され、切断層を形成している。また、非切断層であるａ１，ａ２，ｂ２は非切断層であり、２回折り曲げられて折り曲げ部１５を形成し、該折り曲げ部１５の外側を当て紙Ｓで包被しその端部を接着して構成されている。ｈは折り曲げ部１５の高さであり、切断層の先端はｈの僅かに上部に位置するようにし、これにより当て紙Ｓは端部を接着して固定されている。１４ａは表面側、１４ｂは裏面側を示す。
【００１６】
図４の多層紙袋について、積み重ねた場合の層の厚さは次のとおりとなる。
すなわち、使用材料として厚さを０．１２ｍｍのクラフト紙を用いた袋の場合、当て紙Ｓのない胴部では０．１２ｍｍ×６＝０．７２ｍｍであり、当て紙Ｓのある底部封止部では、０．１２ｍｍ×１１＝１．３２ｍｍになる。これを先ず一方向に１５袋重ね、次に逆方向に１０袋重ねると、図９のＸ方向では（１．３２ｍｍ×１５袋）＋（０．７２ｍｍ×１０袋）  ＝１９．８ｍｍ＋７．２ｍｍ  ＝２７．０ｍｍであるが、Ｙ方向は（１．３２ｍｍ×１０袋）＋（０．７２ｍｍ×１５袋）  ＝１３．２ｍｍ＋１０．８ｍｍ＝２４．０ｍｍであるから、厚い方と薄い方の差は３．０ｍｍ  となる。従って従来技術である図７と比べると、厚い方と薄い方の厚さの差が著しく小さいことがわかる。このようにしたものを従来同様にパレット上に２５段積み重ねて荷造りして、６００ｋｍの距離をトラック輸送したが、荷崩れは生ぜず、曲がり癖の生じた袋は皆無であった。
【００１７】
図５は本発明の請求項３に係る更に他の実施例の簡略説明図で、多層に構成された筒状体ａ，ｂ，ｃ，ｄは、裏面１４ｂ側では内側よりａ１，ｂ１，ｃ１，ｄ１の４層構成で、表面１４ａ側では内側よりａ２，ｂ２，ｃ２，ｄ２で構成され４層構成である。この中でｃ１，ｄ１，ｃ２及びｄ２の４層はは先端を折り曲げしないので、余分な長さを直線切りで切断除去され、切断層を形成している。
従って、非切断層であるａ１，ａ２，ｂ１，ｂ２の４層のみが２回折り曲げられて、折り曲げ部１５を形成し、その外側を当て紙Ｓで包被しその端部を接着して構成されている。ｈは折り曲げ部の高さであり、切断層の先端はｈの僅かに上部に位置するようにし、これにより当て紙Ｓは端部を接着して固定されている。
【００１８】
図５で明らかなように、切断層の層数は４層、非切断層の層数は４層であるから、当て紙Ｓのない胴部の厚さは０．１２ｍｍ×８＝０．９６ｍｍで、当て紙Ｓのある底部封止部では、０．１２ｍｍ×１４＝１．６８ｍｍでである。
これを先ず一方向に１５袋重ね、次に逆方向に１０袋重ねると、厚い方では２５．２ｍｍ＋９．６ｍｍ  ＝３４．８ｍｍであるが、薄い方は１４．４ｍｍ＋１６．８ｍｍ＝３１．２ｍｍであるから、厚い方と薄い方の差は３．６ｍｍ  となる。
これに対して、図示してないが、従来技術に従い、全部の紙層を２回折り曲げて当て紙Ｓを包被接着させて底部閉鎖部を形成した場合には、胴部の厚さは０．１２ｍｍ×８＝０．９６ｍｍで、当て紙Ｓのある底部封鎖部では、０．１２ｍｍ×２６＝３．１２  ｍｍ  である。従ってこれを一方向に１５袋重ね、次に逆方向に１０袋重ねると、図９のＸ方向は４６．８ｍｍ＋９．６ｍｍ  ＝５６．４ｍｍであるが、Ｙ方向は１４．４ｍｍ＋３１．２ｍｍ＝４５．６ｍｍであるから、厚い方と薄い方の差は１０．８ｍｍとなる。
それ故前記図５に示したものの方が遙に底部封鎖部と胴部との厚さの差が小さいことが判る。
このようにした図５に示したものを従来同様にパレット上に２５段積み重ねて荷造りして、６００ｋｍトラック輸送したが、荷崩れは生ぜず、曲がり癖の生じた袋は皆無であったが、従来技術による多層紙袋をカットせずに底部閉鎖部を形成したものでは６００ｋｍの距離をトラック輸送したときには実条件によっては２０〜３０％荷崩れを発生し、袋に変形癖のあるものを３％程度発生した。
【００１９】
また、当て紙の枚数は通常１枚でよいが、切断除去した紙層の数より当て紙の数が少ない限り底部封鎖部を薄く形成することができるので、本発明の荷崩れ防止効果を発揮することはできるが、場合により２枚以上としても当て紙の数を増やせば底部閉鎖部の補強にはなるが、底部封鎖部の形成工程が複雑化する不利益があるので、寧ろ紙袋をその分だけ切断しなければよいことになる。
【００２０】
本発明は、上記で説明したように筒状体は、図３、図４のように３重の場合のみに限られず、図５のように４重でも実施することができることは容易に理解することができるであろう。
この場合、請求項３で特定するように、中間の筒状体を構成する層が２層以上ある紙袋であって、内部側（ｂ１，ｂ２）を非切断層とし、外部側（Ｃ１，Ｃ２）を切断層としたりすることができる。また、中間層の全体を最内部の筒状体の非切断層同様に全く切断しない非切断層としたり、全部最外部の筒状体と同様に切断層とするほか、紙袋の表面側に存在する層、もしくは裏面側に存在する層のいずれか一方を非切断層とし、他方を切断層とすることもできる。
特に、層の多い場合はこれらの切断層、非切断層の設け方について上記の層形成技術を組合わせて適宜実施すればよいが、切断層をランダムに設けるよりは、切断層グループ層と非切断層グループ層とを内外で画然と２分するようにした方が端部の気密性を高め、底部閉鎖部の厚さを薄く形成しうる点で好ましい。
【００２１】
なお、本発明では、最内部の筒状体と、最外部の筒状体の中間の筒状体を構成する層（偏平にしたときには裏面側と表面側の２層構成となる）は、その構成層の全てが、最内部の筒状体もしくは最外部の筒状体に合わせて非切断層としたり切断層とする場合に限らず、例えば裏面側を非切断層とし表面側を切断層とするか、或いはその逆であってもよい。更にまた、中間の筒状体が２以上の場合について言えば、内部側を非切断層とし、外部側を切断層と区分した層構成とすることもできるので、実用上の要求に応じたものを提供することができる。
【００２２】
又、本発明の多層紙袋は請求項４で特定するように、構成する複数の紙層のうち、少なくとも内容物に近接する内層にポリエチレンやポリプロピレン等のポリオレフィン樹脂層を設けることが好ましい。これにより内容物に対する防湿効果を助長することが期待される。
【００２３】
又、本発明の多層紙袋は、請求項５に規定するように、当て紙の層厚を切断紙層の厚さより薄くするよう、当て紙の枚数や紙厚を選択することが好ましい。これにより、図８の要領にて、本発明の多層紙袋を積層した場合に、荷崩れを良好に防止することができる。
更に又、本発明を構成する「開封手段が付与された当て紙」とは、内容物を底部閉鎖部を開封して取り出す際、作業者が容易に開封できるよう例えば開封用のテープとか糸等の開封手段が貼着された当て紙をいう。
【００２４】
【発明の効果】
本発明によれば、まち付筒状体からなる多層紙袋の底部の閉鎖部の折り返し部分の厚さを胴部の厚さよりも小さくすることができ、パレット上に従来同様に積み重ねても袋の底部の閉鎖部とその他の部分の厚さとの差を従来よりも少なくできるので、荷崩れを起こすことなく、荷積み及び輸送の作業能率を向上することができる。なお、請求項２、３のようにすることで、切断する紙層は、ランダムに切断されず、残存する紙層は連続した状態で形成されているので、紙層間に空気の残存するおそれが少なく、積層された紙袋群をコンパクトに保持することができるので、荷崩れ防止にも有効である。
なお又、請求項４のように最内部の筒状体の内面にポリオレフィン樹脂層を設けた場合は、内部に充填する内容物を吸湿しないようにすることができる。
【図面の簡単な説明】
【図１】従来技術による多層紙袋の代表例を示す平面図
【図２】本発明に係る一実施例のクラフト紙袋の底部閉鎖部の縦断面図
【図３】図２の簡略説明図
【図４】本発明に係る他の実施例の簡略説明図
【図５】本発明に係る他の実施例の簡略説明図
【図６】従来技術によるクラフト紙袋からなる多層紙袋の底部閉鎖部の縦断面図
【図７】図６の簡略説明図
【図８】パレットへの多層紙袋群の配置説明図で（イ）は１段目の多層紙袋群の配置状態の上面図、（ロ）は２段目の多層紙袋群の配置状態の上面図
【図９】多層紙袋群Ｄ１の構成と、多層紙袋群Ｕ１の関係を示す側面説明図
【符号の説明】１１  多層紙袋
１２  まち
１３  胴貼り部
１４ａ  表面
１４ｂ  裏面
１５  折り曲げ部
１６  底部閉鎖部
ａ，ｂ，ｃ  紙製の筒状体
ａ１，ａ２，ｂ１，ｂ２，ｃ１，ｃ２  紙層
ｈ  折り曲げ部の長さ
Ｄ１，Ｄ２，Ｄ３，Ｄ４  第１段目の多層紙袋群
Ｕ１，Ｕ２，Ｕ３，Ｕ４  第２段目の多層紙袋群
Ｐ  パレット
Ｌ１  １５袋の底部閉鎖部
Ｌ２  １０袋の底部閉鎖部
Ｘ  １５袋の底部閉鎖部の方向
Ｙ  １０袋の底部閉鎖部の方向
Ｓ  当て紙
【図１】
2004217285.tif 000003
【図２】
2004217285.tif 000004
【図３】
2004217285.tif 000005
【図４】
2004217285.tif 000006
【図５】
2004217285.tif 000007
【図６】
2004217285.tif 000008
【図７】
2004217285.tif 000009
【図８】
2004217285.tif 000010
【図９】
2004217285.tif 000011